(57)【要約】【課題】水洗濯後における乾燥性に優れ、裾部分、袖口部分に集中汚れ現象が発生することがない衣服を提供すること。【解決手段】本体表地１と裏布地２とを有する衣服において、上記衣服の裾部分１１及び袖口部分１２には上記裏布地２側に上記本体表地１及び裏布地２よりも通水性に優れた易通水材３を設けたこと。上記易通水材３は、網状体、トリコット起毛材、荒目ニット材のいずれかを用いることが好ましい。上記易通水材３は、衣服の袖部分１１及び袖口部分１２に帯状に配置することが好ましい。【選択図】図１
2006193851.tif 000002
【特許請求の範囲】
【請求項１】
本体表地と裏布地とを有する衣服において、
上記衣服の裾部分及び袖口部分には上記裏布地側に上記本体表地及び裏布地よりも通水性に優れた易通水材を設けたことを特徴とする衣服。
【請求項２】
外側に位置するアウターと、該アウターの内側に配置するインナーとよりなる衣服において、
上記インナーは本体表地と裏布地とを有し、該インナーの裾部分及び袖口部分には上記裏布地側に上記本体表地及び裏布地よりも通水性に優れた易通水材を設けたことを特徴とする衣服。
【請求項３】
請求項１又は２において、上記易通水材は、網状体、トリコット起毛材、荒目ニット材のいずれかであることを特徴とする衣服。
【請求項４】
請求項１〜３のいずれか一項において、上記裏布地はその内面側に保温用の中綿を配設してなり、上記易通水材の先端側においては該易通水材と本体表地とが縫合され、
一方、易通水材の後端側においては易通水材と裏布地と中綿とが縫合されていることを特徴とする衣服。
【請求項５】
請求項２又は３において、インナーの上記本体表地は、その内側面に保温用の中綿を配設してなり、上記易通水材の先端側においては、該易通水材と中綿と本体表地とが縫合され、一方易通水材の後端側はインナーの裏布地と縫合されていることを特徴とする衣服。
【請求項６】
請求項４又は５において、上記易通水材と中綿と裏布地又は本体表地との縫合に当たっては、通水性の補強布を介在させて縫合してあることを特徴とする衣服。
【請求項７】
請求項１〜６のいずれか一項において、上記易通水材は帯状体であることを特徴とする衣服。
【請求項８】
請求項１、３、４、６又は７のいずれか一項において、上記本体表地は防水材料であることを特徴とする衣服。
【発明の詳細な説明】
【技術分野】
【０００１】
本発明は、洗濯後の乾燥を早く行なうことができる乾燥性に優れた、本体表地と裏布地とより構成されたブルゾン、コート、ジャケット等の衣服に関する。
【背景技術】
【０００２】
本体表地と裏布地とにより構成されたブルゾン、コート、ジャケット等の衣服は、洗濯機を用いて水洗濯した場合、洗濯後に吊り干し乾燥を行なう。
しかしながら、吊り干し時に上記本体表地と裏布地の間にある水分は、容易に外方へ出ていかず、両者の下方に溜まってくる。つまり上記水分の多くは衣服の裾部分と袖口部分とに下降して、そこに溜まり、ゆっくりと外方へ出ていくことになる。
【０００３】
そのため、この裾部分と袖口部分とは乾燥が遅くなると共に上記のように溜った水分中の汚れが裾部分及び袖口部分に残り、その結果裾部分及び袖口部分に集中汚れ現象が発生することとなる。
【０００４】
また、本体表地と裏布地との間に保温用の中綿を入れた衣服においては、該中綿の中を上記水分が下降していくため、殆どの水分は上記裾部分、袖口部分に溜り、上記集中汚れ現象が発生し易い。
【０００５】
また、かかる中綿入りの衣服を洗濯機により洗濯する場合、脱水作業時に、上記中綿中の水分が容易に排出されず、衣服中に片寄るため、洗濯機の遠心脱水回転にアンバランスを生じ、洗濯機が損傷することがある。
或いは、上記中綿中の片寄り水分を、強制的に、洗濯機の遠心力により排出しようとするため、水分を含んだ中綿が本体表地と裏布地の縫合部分、或いは本体表地や裏布地自体を破って飛び出すこともある。そのため、衣服が損傷を生じることがある。
【０００６】
更には、本体表地が防水材料で作られている場合には、本体表地からは、上記水分更には空気が排出されないため、洗濯時、更には脱水の際に、衣服が風船のように膨らみ洗濯機の回転にアンバランスを生じさせることもある。
【０００７】
かかる背景により、従来は、本体表地と裏布地とを有する衣服は、洗濯機による水洗濯は殆ど行なわれず、商業用ウェットクリーニング或いは商業用ドライクリーニングにより行なわれている。
しかしながら、かかる商業用クリーニングは、時間及びコストがかかる。また、汗等の水溶性汚れや臭いはドライクリーニングによっては充分に落ち難い。
【０００８】
そのため、近年は、衣服使用者自身が、洗濯機による水洗濯を行なうことができる衣服を強く要望している。
なお、かかる水洗濯をした衣服を早く乾燥させるためには、種々の方策が検討され、近年においては衣服の材料開発が進められている（特許文献１）。
しかしながら、かかる衣服材料はコスト高となる。
【０００９】
【特許文献１】特開平９−１３２８７２号公報
【発明の開示】
【発明が解決しようとする課題】
【００１０】
本発明は、かかる従来の問題点に鑑み、水洗濯後における乾燥性に優れ、裾部分、袖口部分に集中汚れ現象が発生することがない衣服を提供しようとするものである。
【課題を解決するための手段】
【００１１】
第１発明は、本体表地と裏布地とを有する衣服において、
上記衣服の裾部分及び袖口部分には上記裏布地側に上記本体表地及び裏布地よりも通水性に優れた易通水材を設けたことを特徴とする衣服にある（請求項１）。
【００１２】
本発明によれば、衣服の裾部分及び袖口部分に、上記裏布地側において、上記通水性に優れた易通水材を設けている。
そのため、上記のごとく、洗濯機による水洗濯の後、衣服を吊り干し乾燥する際に、上記本体表地と裏布地との間に入っていた水分は上記裾部分及び袖口部分に下降すると共に上記易通水材によって直ちに外部へ排出される。そのため、本体表地、裏布地ともに早く乾燥することができる。
【００１３】
また、それ故に、従来のごとく裾部分及び袖口部分に集中汚れ現象が発生することがない。
また、上記易通水材は裏布地側に設けてあるので、衣服の外観は変化がなく、衣服の美感を損ねることもない。
したがって、本発明によれば、水洗濯後における乾燥性に優れ、裾部分、袖口部分に集中汚れ現象が発生することがない衣服を提供することができる。
【００１４】
次に、第２発明は、外側に位置するアウターと、該アウターの内側に配置するインナーとよりなる衣服において、
上記インナーは本体表地と裏布地とを有し、該インナーの裾部分及び袖口部分には上記裏布地側に上記本体表地及び裏布地よりも通水性に優れた易通水材を設けたことを特徴とする衣服にある（請求項２）。
【００１５】
本第２発明においては、上記アウターの内側に位置するインナーが、上記の構造を有している。つまり、インナーは上記第１発明と同様の構造である。
そのため、インナーは、上記第１発明の衣服の場合と同様に水洗濯の後に吊り干し乾燥する際に、インナーの本体表地と裏布地の間に入っていた水分は裾部分、袖口部分に下降して、易通水材によって直ちに外部へ排出される。
【００１６】
そのため、インナーの本体表地、裏布地ともに早く乾燥でき、またインナーの裾部分、袖口部分に集中汚れ現象が発生することもない。また、アウターは従来のままであり、アウター及びインナーからなる衣服の美感を損なうこともない。
【発明を実施するための最良の形態】
【００１７】
上記両発明において、上記衣服としては、紳士用、婦人用、子供用等のブルゾン、コート、ジャケット、ウィンドブレーカー、レインウェアー等、本体表地と裏布地とよりなる衣服、アウターとインナーとよりなる衣服がある。
【００１８】
次に、上記易通水材は、網状体、トリコット起毛材、荒目ニット材のいずれかであることが好ましい（請求項３）。
この場合には、本体表地と裏布地との間の水分を容易に排出することができ、乾燥も早い。
【００１９】
次に、上記裏布地はその内面側に保温用の中綿を配設してなり、上記易通水材の先端側においては該易通水材と本体表地とが縫合され、一方、易通水材の後端側においては易通水材と裏布地と中綿とが縫合されていることが好ましい（請求項４）。
【００２０】
この場合には、本体表地と裏布地の間に上記中綿が配置されているが、上記中綿中の水分が裾部分、袖口部分に下降し、上記易通水材より容易に外部へ排出される。そのため、従来のごとく、水分が長時間、中綿内に溜っているということがない。
【００２１】
また、洗濯機による遠心脱水時においても、中綿中の水分は容易に上記易通水材より排出される。そのため、従来のごとく、中綿中の水分による洗濯機の回転アンバランスの発生がない。また、中綿中の水分が容易に排出されるため、上記脱水時に水分を含んだ中綿が本体表地や裏布地を破って飛び出してくることもない。
【００２２】
更に、洗濯中に上記本体表地と裏布地との間、更には中綿の中に空気が入っても、易通水材より容易に排出される。
そのため、洗濯内において衣服が膨らみを発生することがなく、洗濯機に回転アンバランスを発生させることもない。
また、上記のごとく、易通水材の後端側は、易通水材と裏布地と中綿とが縫合されているのでこれらの間も充分に固定され中綿が位置ずれを生ずることもない。
【００２３】
次に、インナーの上記本体表地は、その内側面に保温用の中綿を配設してなり、上記易通水材の先端側においては、該易通水材と中綿と本体表地とが縫合され、一方易通水材の後端側はインナーの裏布地と縫合されていることが好ましい（請求項５）。
【００２４】
この場合には、インナーにおける本体表地と裏布地の間に上記中綿が配置されているが、上記中綿中の水分が裾部分、袖口部分に下降し、上記易通水材より容易に外部へ排出される。そのため、従来のごとく、水分が長時間、中綿内に溜っているということがなく、インナーの乾燥が早い。
【００２５】
また、洗濯機による遠心脱水時においても、中綿中の水分は容易に上記易通水材より排出される。そのため、従来のごとく、中綿中の水分による洗濯機の回転アンバランスの発生がない。また、中綿中の水分が容易に排出されるため、上記脱水時に水分を含んだ中綿が本体表地や裏布地を破って飛び出してくることもない。
【００２６】
更に、洗濯中にインナーの上記本体表地と裏布地との間、更にはインナーの中綿の中に空気が入っても、易通水材より容易に排出される。
そのため、洗濯内において衣服が膨らみを発生することがなく、洗濯機に回転アンバランスを発生させることもない。
また、上記のごとく、易通水材の先端側は、易通水材と中綿と本体布地とが縫合されているのでこれらの間も充分に固定され、中綿が位置ずれを生ずることもない。
【００２７】
次に、上記易通水材と中綿と裏布地又は本体表地との縫合に当たっては、通水性の補強布を介在させて縫合してあることが好ましい（請求項６）。
この場合には、易通水材と中綿と裏布地又はインナーの本体表地とが、補強布と共に縫合されているので、易通水材、裏布地又はインナーの本体表地、中綿の間の強度も向上する。
また、補強布は通水性を有するので、裾部分、袖口部分へ下降した水分の排出も容易である。
【００２８】
次に、上記易通水材は帯状体であることが好ましい（請求項７）。
この場合には、上記易通水材は、上記裾部分、袖口部分の下方に帯状に配置できるので、水分の排出が一層容易である。また、水分排出を促進し、乾燥を早めるには、易通水材は裾部分及び袖口部分の全周に帯状に配置することが好ましい。
【００２９】
次に、上記本体表地は防水材料であることが好ましい（請求項８）。
この場合には、本体表地が防水材料であるが、本体表地からの乾燥はなく、また本体表地は水分は勿論のこと空気も殆ど通さない。そのため、かかる衣服を洗濯機により水洗濯する場合、上記のごとく、衣服が風船のように膨らむことがあっても、衣服内の空気は容易に易通水材より排出される。そのため、上記従来例に示すごとく、衣服や洗濯機を損傷するということはない。
この意味において、本体表地が防水材料である場合、一層優れた効果を発揮する。
【実施例】
【００３０】
（実施例１）
第１発明の実施例にかかる衣服につき、図１〜図３を用いて説明する。
本例の衣服は、本体表地１と裏布地２とを有する。上記衣服の裾部分１１及び袖口部分１２には、上記裏布地２側に、上記本体表地及び裏布地よりも通水性に優れた易通水材３を設けてある。
【００３１】
上記の易通水材３としては、ポリエステル或いはナイロン糸製の網状体（網目穴約１〜２ｍｍ）を用いた。また、本体表地１及び裏布地２は、綿の布地である。
また、図２、ず３に示すごとく、上記裏布地２はその内面側に保温用の中綿４を配設してなり、上記易通水材３の先端側３１においては該易通水材３と本体表地１とが縫合３５されている。
一方、易通水材３の後端側３２においては、易通水材３と裏布地２と中綿４とが、通水性の補強布４５を介して縫合３５されている。
【００３２】
また、図１〜図３より知られるように、上記易通水材３は帯状体であり、衣服の裏布地２側において、裾部分１１及び袖口部分１２の略全周に設けてある。
上記は、主として裾部分１１における易通水材３付近の構造を示したが、袖口部分１２の易通水材付近も同様の構造である。
なお、上記本体表地は、通水性がなく、殆ど通気性もない防水材料とすることもできる。
【００３３】
本例によれば、衣服の裾部分１１及び袖口部分１２に、上記裏布地２側において、上記通水性に優れた易通水材３を設けている。
そのため、上記のごとく、洗濯機による水洗濯の後、衣服を吊り干し乾燥する際に、上記本体表地１と裏布地２との間に入っていた水分は上記裾部分１１及び袖口部分１２に下降すると共に上記易通水材３によって直ちに外部へ排出される。
それ故、本体表地１、裏布地２ともに早く乾燥することができる。また、それ故に、従来のごとく裾部分１１及び袖口部分１２に集中汚れ現象が発生することがない。
【００３４】
また、上記易通水材３は裏布地側２に設けてあるので、衣服の外観は変化がなく、衣服の美感を損ねることもない。
したがって、本例によれば、水洗濯後における乾燥性に優れ、裾部分、袖口部分に集中汚れ現象が発生することがない衣服を提供することができる。
【００３５】
また、本例の場合には、本体表地１と裏布地２との間に上記中綿４が配置されているが、上記中綿４中の水分が裾部分１１、袖口部分１２に下降し、上記易通水材３より容易に外部へ排出される。そのため、従来のごとく、水分が長時間中綿４の中に溜っているということがない。
【００３６】
また、洗濯機による遠心脱水時においても、中綿４中の水分は容易に上記易通水材３より排出される。そのため、従来のごとく、中綿４中の水分による洗濯機の回転アンバランスの発生がない。また、中綿４中の水分が容易に排出されるため、上記脱水時に水分を含んだ中綿４が本体表地１や裏布地２を破って飛び出してくることもない。
【００３７】
更に、洗濯中に上記本体表地１と裏布地２との間、更には中綿４の中に空気が入っても、易通水材３より容易に排出される。
そのため、洗濯内において衣服が膨らみを発生することがなく、洗濯機に回転アンバランスを発生させることもない。
また、上記のごとく、易通水材３の後端側３２は、易通水材３と裏布地２と中綿４とが縫合３５されているのでこれらの間も充分に固定され、中綿４が位置ずれを生ずることもない。
【００３８】
なお、本体表地１が防水材料の場合には、本体表地１からの乾燥はなく、また本体表地は水分は勿論のこと空気も殆ど通さない。そのため、かかる衣服を洗濯機により水洗濯する場合、上記のごとく、衣服が風船のように膨らむことがあっても、衣服内の空気は容易に易通水材３より排出される。そのため、上記従来例に示すごとく、衣服や洗濯機を損傷するということはない。
【００３９】
（実施例２）
本例は、第２発明に関するもので、図４〜図９に示すごとく、アウター５とその内側に配置するインナー６とよりなる衣服である。
かかる構造の衣服は、アウター５とインナー６とよりなるので、通称２ウェイタイプと言われている。そして、上記インナー６が易通水材３を有する例である。
上記インナー６は、予め下記の構造に作製しておき、これをアウター５の内側に配置して衣服とする。
【００４０】
即ち、本例は、図４、図７に示すごとく、外側に位置するアウター５と、該アウターの内側に配置するインナー６とよりなる衣服であり、図４〜図６に示すごとく、上記インナー６は本体表地６２と裏布地６１とを有し、該インナー６の裾部分６５及び袖口部分６８には上記裏布地６１側に上記本体表地及び裏布地よりも通水性に優れた易通水材３を設けたものである。
【００４１】
また、インナー６の本体表地６２は、その内側面に保温用の中綿４を配設してなり、上記易通水材３の先端側３１においては、該易通水材３と中綿４と本体表地６２とが、通水性の補強布４５を介して、縫合３５され、一方易通水材３の後端側３２は裏布地６１と縫合３５されている。
なお、上記アウター５は、防水材料製とするこもできる。
【００４２】
また、上記インナー６はその襟部分６６及び前身ごろ部分６６０の外周を、アウター５の内側に縫合してある（図４、図７）。
また、インナー６の袖口部分６８は、着脱自在な鉤状ファスナー６９によってアウター５の袖口部分の内側に固定する。
【００４３】
本例においては、上記アウター５の内側に位置するインナー６が、上記の構造を有している。つまり、インナー６は上記第１発明と同様の構造を有している。
そのため、インナー６は、上記第１発明の衣服の場合と同様に、水洗濯の後に吊り干し乾燥する際にインナー６の本体表地６２と裏布地６１の間に入っていた水分は裾部分６５、袖口部分６８に下降して、易通水材３によって直ちに外部へ排出される。
【００４４】
そのため、インナー６の本体表地６２、裏布地６１ともに早く乾燥でき、またインナー６の裾部分６５、袖口部分６８に集中汚れ現象が発生することもない。また、アウター５は従来のままであり、アウター５及びインナー６からなる衣服の美感を損なうこともない。
また、インナー６の本体表地６２と裏布地６１の間に上記中綿４が配置されているが、上記中綿４中の水分が裾部分６５、袖口部分６８に下降し、上記易通水材３より容易に外部へ排出される。そのため、従来のごとく、水分が長時間中綿４の内部に溜っているということがない。
【００４５】
また、洗濯機による遠心脱水時においても、中綿４中の水分は容易に上記易通水材３より排出される。そのため、従来のごとく、中綿４中の水分による洗濯機の回転アンバランスの発生がない。また、中綿４中の水分が容易に排出されるため、上記脱水時に水分を含んだ中綿がインナー６の本体表地６２や裏布地６１を破って飛び出してくることもない。
【００４６】
更に、洗濯中に上記本体表地６２と裏布地６１との間、更には中綿４の中に空気が入っても、易通水材３より容易に排出される。
そのため、洗濯内において衣服が膨らみを発生することがなく、洗濯機に回転アンバランスを発生させることもない。
また、上記のごとく、易通水材３の先端側３１は、易通水材３と本体表地６２と中綿４とが縫合３５されているので、これらの間も充分に固定され中綿が位置ずれを生ずることもない。
【００４７】
また、上記は主としてインナー６の裾部分６５における易通水材３付近の構造を示したが、このことはインナー６の袖口部分６８の易通水材３の付近の構造も同様である。
その他、上記インナーは実施例１における衣服と同様の作用効果を有する。
【図面の簡単な説明】
【００４８】
【図１】実施例１における、左袖口を裏返した状態の衣服の正面図。
【図２】実施例１における、裾部分の易通水材付近の断面図。
【図３】実施例１における、易通水材付近の斜視図。
【図４】実施例２における、インナーの正面図。
【図５】実施例２における、インナーの易通水材付近の断面図。
【図６】実施例２における、インナーの易通水材付近の斜視図。
【図７】実施例２における、アウターの内側にインナーを配置し、アウターの左袖を折り返した状態の、衣服の正面図。
【図８】実施例２における、インナーとアウターの位置関係を示す断面図。
【図９】実施例２における、アウターの内側に配置したインナーの裾部分を折り曲げた状態の説明図。
【符号の説明】
【００４９】
１  本体表地
１１  裾部分
１２  袖口部分
２  裏布地
３  易通水材
３５  縫合
４  中綿
４５  補強布
５  アウター
６  インナー
６１  インナーの裏布地
６２  インナーの本体表地
６５  インナーの裾部分
６８  インナーの袖口部分
【図１】
2006193851.tif 000003
【図２】
2006193851.tif 000004
【図３】
2006193851.tif 000005
【図４】
2006193851.tif 000006
【図５】
2006193851.tif 000007
【図６】
2006193851.tif 000008
【図７】
2006193851.tif 000009
【図８】
2006193851.tif 000010
【図９】
2006193851.tif 000011